【手続補正書】
【提出日】平成20年5月13日(2008.5.13)
【手続補正１】
【補正対象書類名】明細書
【補正対象項目名】特許請求の範囲
【補正方法】変更
【補正の内容】
【特許請求の範囲】
【請求項１】  ネットワーク化された環境においてマルチメディア・コンテンツを伝送する方法であって、
ａ）マルチメディア・コンテンツ要求を受信するステップと、
ｂ）前記要求されたマルチメディア・コンテンツを伝送するための、適切なセットのマルチメディア特性を決定するステップと、
ｃ）前記適切なセットのマルチメディア特性を含む、前記要求されたマルチメディア・コンテンツを伝送するステップと、
を含み、
前記適切なセットのマルチメディア特性が、前記マルチメディア・コンテンツ要求に関連する１つ以上の条件によって決定される、方法。
【請求項２】  前記マルチメディア・コンテンツ要求に関連する前記１つ以上の条件が、前記マルチメディア・コンテンツを要求するユーザ・デバイスのタイプを含む、請求項１に記載の方法。
【請求項３】  ネットワーク化された環境において画像を伝送する方法であって、
ａ．画像要求を受信するステップと、
ｂ．前記要求された画像を伝送するための、適切なセットの画像特性を決定するステップであって、前記適切なセットの画像特性が、前記画像を要求するデバイスのタイプ、前記画像が要求された時点でのネットワーク負荷、前記要求元デバイスから読み出されたクッキーのコンテンツ、及び前記画像を前記要求元デバイスに配信するのに使用可能なバンド幅から選択される、ステップと
ｃ．前記適切なセットの特性を備えた画像が画像のキャッシュにおいて使用可能であるかどうかを判定するステップと、
ｄ．前記適切なセットの特性を備えたような画像が使用可能でない場合、オリジナル画像を画像レンダリングエンジンに送信することによって、前記適切なセットの特性を備えた画像を生成するステップと、
ｅ．前記適切なセットの特性を備えた前記画像を前記要求元デバイスに配信するステップと、
を含む、方法。
【手続補正２】
【補正対象書類名】明細書
【補正対象項目名】００６４
【補正方法】変更
【補正の内容】
【００６４】
本明細書中の実施例及び説明は、本発明を例示するものであって、限定するものではない。本発明は、本明細書中に示した内容に限定されないが、上記特許請求の範囲及びその等価物の全範囲において変更してもよい。なお、以下に付記として本発明の構成の例を示す。
（付記１）  ネットワーク化された環境においてマルチメディア・コンテンツを伝送する方法であって、
ａ）マルチメディア・コンテンツ要求を受信するステップを含み、
ｂ）前記要求されたマルチメディア・コンテンツを伝送するための、適切なセットのマルチメディア特性を決定するステップを含み、
ｃ）前記適切なセットのマルチメディア特性を含む、前記要求されたマルチメディア・コンテンツを伝送するステップを含む、前記方法。
（付記２）  前記適切なセットの特性が、前記マルチメディア・コンテンツ要求に関連する１つ以上の条件によって決定される、付記１に記載の方法。
（付記３）  前記マルチメディア・コンテンツ要求に関連する前記１つ以上の条件が、前記マルチメディア・コンテンツを要求するユーザ・デバイスのタイプを含む、付記２に記載の方法。
（付記４）  前記マルチメディア・コンテンツ要求に関連する前記１つ以上の条件が、実質的に決定された前記デバイスのデータ伝送速度及び前記デバイスの関連ネットワークのデータ伝送速度である、付記２に記載の方法。
（付記５）  前記マルチメディア・コンテンツ要求に関連する前記１つ以上の条件が、前記マルチメディア・コンテンツが要求された時点でのネットワーク負荷を含む、付記２に記載の方法。
（付記６）  前記マルチメディア・コンテンツ要求に関連する前記１つ以上の条件が比較される、ルールセットを予め決定するステップをさらに含む、付記２に記載の方法。
（付記７）  前記適切なセットの特性が既に付与されたマルチメディア・コンテンツのキャッシュを予め決定するステップと、前記マルチメディア・コンテンツのキャッシュを伝送に使用可能にするステップとをさらに含む、付記２に記載の方法。
（付記８）  前記適切なセットの特性を備えたマルチメディア・コンテンツが前記キャッシュにおいて使用可能でない場合、条件付けされていないマルチメディア・コンテンツを読み出し、前記条件付けされていないマルチメディア・コンテンツに前記適切なセットの特性を付与し、続いて、前記適切なセットの特性を備えるようになったこのマルチメディア・コンテンツを伝送する、付記７に記載の方法。
（付記９）  ネットワーク化された環境において適切な特性を備えたマルチメディア・コンテンツを伝送するシステムであって、
前記特性が、前記マルチメディア・コンテンツが要求された時点で効果を有していた条件によって決定され、
ａ）前記要求を受信するサーバを備え、
ｂ）前記サーバが、どのようなマルチメディア・コンテンツ特性が伝送に適しているかを判定するための、予め決定されたルールセットを用い、
ｃ）条件付けされていないマルチメディア・コンテンツを取り出して、前記条件付けされていないマルチメディア・コンテンツを、前記適切な特性を備えた条件付けされたマルチメディア・コンテンツにレンダリングすることのできる、マルチメディア・コンテンツ・レンダリングエンジンを備え、
ｄ）前記サーバが、次に、前記条件付けされたマルチメディア・コンテンツを配信する、前記システム。
（付記１０）  伝送するのに適切な前記特性を既に備えた予め決定されたマルチメディア・コンテンツのキャッシュをさらに含み、これによって、前記サーバが、適切なマルチメディア・コンテンツが前記キャッシュにおいて既に使用可能であると判定すると、伝送するのに適切な前記マルチメディア・コンテンツを読み出す、付記９に記載のシステム。
（付記１１）  どのようなマルチメディア・コンテンツ特性が伝送に適しているかを判定するための前記ルールセットが、要素の１つとして、前記マルチメディア・コンテンツを要求するクライアント・デバイスのタイプを用いる、付記９に記載のシステム。
（付記１２）  どのようなマルチメディア・コンテンツ特性が伝送に適しているかを判定するための前記ルールセットが、前記判定のための要素の１つとして、前記要求元デバイスのデータ伝送速度及び前記要求元デバイスの関連ネットワークのデータ伝送速度を用いる、付記９に記載のシステム。
（付記１３）  どのようなマルチメディア・コンテンツ特性が伝送に適しているかを判定するための前記ルールセットが、前記判定のための要素の１つとして、前記マルチメディア・コンテンツが要求された時点での現在のネットワーク負荷を用いる、付記９に記載のシステム。
（付記１４）  ネットワーク化された環境において適切な特性を備えたマルチメディア・コンテンツを伝送するシステムであって、
前記特性が、前記マルチメディア・コンテンツが要求された時点で効果を有していた条件によって決定され、
ａ）前記要求を受信する手段を備え、
ｂ）どのようなマルチメディア・コンテンツ特性が伝送に適しているかを判定するための、予め決定されたルールセットを用いる手段を備え、
ｃ）条件付けされていないマルチメディア・コンテンツを取り出して、前記条件付けされていないマルチメディア・コンテンツを、前記適切な特性を備えた条件付けされたマルチメディア・コンテンツにレンダリングする手段を備え、
ｄ）前記条件付けされたマルチメディア・コンテンツを要求元デバイスに伝送する手段を備える、前記システム。
（付記１５）  伝送するのに適切な前記特性を既に備えた予め決定されたマルチメディア・コンテンツをキャッシュに格納する手段をさらに含み、これによって、前記サーバが、適切なマルチメディア・コンテンツが前記キャッシュにおいて既に使用可能であると判定すると、伝送するのに適切な前記マルチメディア・コンテンツを読み出す、付記１４に記載のシステム。
（付記１６）  どのようなマルチメディア・コンテンツ特性が伝送に適しているかを判定するための前記ルールセットを生成する手段が、要素の１つとして、前記マルチメディア・コンテンツを要求するクライアント・デバイスのタイプを用いる、付記１４に記載のシステム。
（付記１７）  どのようなマルチメディア・コンテンツ特性が伝送に適しているかを判定するための前記ルールセットを生成する手段が、前記判定のための実質的な要素の１つとして、前記クライアント・デバイスのデータ伝送速度及び前記クライアント・デバイスの関連ネットワークのデータ伝送速度を用いる、付記１４に記載のシステム。
（付記１８）  どのようなマルチメディア・コンテンツ特性が伝送に適しているかを判定するための前記ルールセットを生成する手段が、前記判定のための要素の１つとして、前記マルチメディア・コンテンツが要求された時点での現在のネットワーク負荷を用いる、付記１４に記載のシステム。
（付記１９）  ネットワーク化された環境において画像を伝送する方法であって、
ａ．画像要求を受信するステップを含み、
ｂ．前記要求された画像を伝送するための、適切なセットの画像特性を決定するステップを含み、前記決定が、前記要求された画像のＵＲＬの照会ストリングに組み込まれた画像特性パラメータによってオーバーライドされ、
ｃ．前記適切なセットの特性を備えた画像が画像のキャッシュにおいて使用可能であるかどうかを判定するステップを含み、
ｄ．前記適切なセットの特性を備えたような画像が使用可能でない場合、オリジナル画像を画像レンダリングエンジンに送信することによって、前記適切なセットの特性を備えた画像を生成するステップを含み、
前記適切なセットの特性を備えた前記画像を要求元デバイスに配信するステップを含む、前記方法。
（付記２０）  伝送されるマルチメディア・コンテンツ特性を制御する指示を含むコンピュータ可読媒体であって、
ａ）マルチメディア・コンテンツ要求を受信するステップを含み、
ｂ）前記要求されたマルチメディア・コンテンツを伝送するための、適切なセットのマルチメディア・コンテンツ特性を決定するステップを含み、
ｃ）前記適切なセットのマルチメディア・コンテンツ特性を含む、前記要求されたマルチメディア・コンテンツを伝送するステップを含む、
前記コンピュータ可読媒体。